(57)【要約】【課題】  遊技機の扉の開放を行う際に、そのセキュリティの向上を実現する。【解決手段】  遊技機の管理者として登録された者の指紋データを各登録指紋記憶部６１ａ〜６１ｃに予め記憶する。そして、各指紋検出部６２ａ〜６２ｃにおいて、各遊技機５０ａ〜５０ｃに対する操作者の指紋を指紋データとして検出し、各指紋認証部６３ａ〜６３ｃにおいて、各指紋検出部６２ａ〜６２ｃで検出された指紋データと、各登録指紋記憶部６１ａ〜６１ｃに記憶されている指紋データとを照合して、合致する指紋データが存在するか否かを判定する。扉開閉制御部２２では、各指紋認証部６３ａ〜６３ｃにより合致する指紋データが存在すると判定された場合に、該当する遊技機の扉を開放する制御を行う。【選択図】図２
2007068727.tif 000002
【特許請求の範囲】
【請求項１】
遊技機の管理者として登録された者の指紋データを記憶する登録指紋記憶部と、
前記遊技機に対する操作者の指紋を指紋データとして検出する指紋検出部と、
前記指紋検出部で検出された指紋データと、前記登録指紋記憶部に記憶されている指紋データとを照合し、合致する指紋データが存在するか否かを判定する指紋認証部と、
前記指紋認証部により合致する指紋データが存在すると判定された場合、前記操作者に対して、前記遊技機の扉の開放を行う制御をする扉開閉制御部と
を有することを特徴とする遊技機管理システム。
【請求項２】
前記扉開閉制御部により前記遊技機の扉の開放を行う制御がなされた際に、少なくとも、その日時情報、当該遊技機の識別情報、及び当該操作者に係る操作者情報を履歴情報として記憶する履歴情報記憶部を更に有することを特徴とする請求項１に記載の遊技機管理システム。
【請求項３】
前記遊技機の扉の開閉履歴における表示を指示する操作入力部と、
前記操作入力部により前記開閉履歴の表示を指示された場合、前記履歴情報記憶部から、当該指示内容に応じた前記履歴情報を抽出し、当該抽出した履歴情報を表示部に表示する制御を行う表示制御部と
を更に有することを特徴とする請求項２に記載の遊技機管理システム。
【請求項４】
前記扉開閉制御部は、前記指紋認証部により合致する指紋データが存在しないと判定された場合、前記遊技機の扉を閉鎖した状態で維持する制御を行うことを特徴とする請求項１に記載の遊技機管理システム。
【請求項５】
遊技機の管理者として登録された者の指紋データを登録指紋記憶部に記憶する記憶ステップと、
前記遊技機に対する操作者の指紋を指紋データとして検出する指紋検出ステップと、
前記指紋検出ステップで検出された指紋データと、前記登録指紋記憶部に記憶されている指紋データとを照合し、合致する指紋データが存在するか否かを判定する指紋認証ステップと、
前記指紋認証ステップで合致する指紋データが存在すると判定された場合、前記操作者に対して、前記遊技機の扉の開放を行う制御をする制御ステップと
を有することを特徴とする遊技機管理方法。
【発明の詳細な説明】
【技術分野】
【０００１】
本発明は、例えばスロットマシン、パチンコ機等の遊技機を管理する遊技機管理システム及び遊技機管理方法に関する。
【背景技術】
【０００２】
従来、遊技機に対する不正行為の防止を目的とした遊技機管理システムとしては、各遊技機の扉の開閉状態を検出し、扉の開放が行われた遊技機を管理用のディスプレイ等に表示するとともにその映像情報を記憶媒体に記録し、扉の開放の際の映像を再生可能として管理を行うというものが提案されている（例えば、特許文献１参照）。
【０００３】
【特許文献１】特開平１１−２２１３２８号公報
【発明の開示】
【発明が解決しようとする課題】
【０００４】
しかしながら、上記の従来技術では、遊技機の扉の開放が行われて初めて、遊技機管理システムが起動するものであり、遊技機の扉の開放に関しては、そのセキュリティの向上を図ることができないという問題があった。
【０００５】
本発明は上述の問題点にかんがみてなされたものであり、遊技機の扉の開放を行う際に、そのセキュリティの向上を実現可能とする遊技機管理システム及び遊技機管理方法を提供することを目的とする。
【課題を解決するための手段】
【０００６】
本発明の遊技機管理システムは、遊技機の管理者として登録された者の指紋データを記憶する登録指紋記憶部と、前記遊技機に対する操作者の指紋を指紋データとして検出する指紋検出部と、前記指紋検出部で検出された指紋データと、前記登録指紋記憶部に記憶されている指紋データとを照合し、合致する指紋データが存在するか否かを判定する指紋認証部と、前記指紋認証部により合致する指紋データが存在すると判定された場合、前記操作者に対して、前記遊技機の扉の開放を行う制御をする扉開閉制御部とを有することを特徴とする。
かかる構成では、遊技機の操作者に対して指紋認証を行って、遊技機の管理者として登録された者であると判定された場合に限り、当該操作者に対して、遊技機の扉の開放を行うようにしたので、遊技機の扉の開放を行う際のセキュリティの向上を実現することが可能となる。
【０００７】
本発明の遊技機管理システムの他の態様は、前記扉開閉制御部により前記遊技機の扉の開放を行う制御がなされた際に、少なくとも、その日時情報、当該遊技機の識別情報、及び当該操作者に係る操作者情報を履歴情報として記憶する履歴情報記憶部を更に有することを特徴とする。
かかる構成では、遊技機の扉の開放に関する履歴情報を記憶するようにしたので、例えば、遊技機の操作者（管理者）が、遊技機内に備え付けてある制御基板を不正に取り替えた場合においても、遊技機の遊技状態の変化等を契機として、その操作者を特定することができ、管理者による不正行為の防止を図ることも可能となる。
【０００８】
また、本発明の遊技機管理システムのその他の態様は、前記遊技機の扉の開閉履歴における表示を指示する操作入力部と、前記操作入力部により前記開閉履歴の表示を指示された場合、前記履歴情報記憶部から、当該指示内容に応じた前記履歴情報を抽出し、当該抽出した履歴情報を表示部に表示する制御を行う表示制御部とを更に有することを特徴とする。
かかる構成では、遊技機の扉の開閉履歴を表示するようにしたので、遊技機の管理及び遊技機の操作者（管理者）の管理を視覚的に行うことができる。
【０００９】
また、本発明の遊技機管理システムのその他の態様は、前記扉開閉制御部は、前記指紋認証部により合致する指紋データが存在しないと判定された場合、前記遊技機の扉を閉鎖した状態で維持する制御を行うことを特徴とする。
かかる構成では、遊技機に対する操作者が、遊技機の管理者として登録された者でないと判定された場合に、遊技機の扉を閉鎖した状態で維持するようにしたので、遊技機におけるセキュリティの向上を実現することが可能となる。
【００１０】
本発明の遊技機管理方法は、遊技機の管理者として登録された者の指紋データを登録指紋記憶部に記憶する記憶ステップと、前記遊技機に対する操作者の指紋を指紋データとして検出する指紋検出ステップと、前記指紋検出ステップで検出された指紋データと、前記登録指紋記憶部に記憶されている指紋データとを照合し、合致する指紋データが存在するか否かを判定する指紋認証ステップと、前記指紋認証ステップで合致する指紋データが存在すると判定された場合、前記操作者に対して、前記遊技機の扉の開放を行う制御をする制御ステップとを有することを特徴とする。
【発明の効果】
【００１１】
本発明によれば、遊技機の扉の開放を行う際のセキュリティの向上を実現することが可能となる。
【発明を実施するための最良の形態】
【００１２】
以下、本発明を適用した好適な実施形態を、添付図面を参照しながら詳細に説明する。
【００１３】
図１は、本発明の実施形態に係る遊技機管理システムのシステム構成図である。
本実施形態に係る遊技機管理システムは、図１に示すように、管理用パーソナルコンピュータ（以下、「管理用ＰＣ」と称する）１０と、主制御装置２０と、指紋登録装置３０と、中間連結装置４０と、各遊技機５０ａ〜５０ｃと、各指紋認証装置６０ａ〜６０ｃと、各扉開閉装置７０ａ〜７０ｃとを有して構成されている。なお、図１には、中間連結装置４０を介して３台の遊技機５０ａ〜５０ｃを管理する遊技機管理システムを示しているが、本発明の実施形態ではこれに限定されるわけでなく、例えば、更に多くの遊技機を管理する形態や、１台或いは２台の遊技機を管理する形態であってもよい。
【００１４】
管理用ＰＣ１０には、ハード構成として、ユーザが当該管理用ＰＣ１０に対して操作入力を行うための操作入力部１１と、モニター表示部１２とが具備されている。また、管理用ＰＣ１０は、インターフェースを介して主制御装置２０と通信可能に接続されており、相互に情報の送受信を行うことが可能となっている。
【００１５】
主制御装置２０は、管理用ＰＣ１０、指紋登録装置３０及び中間連結装置４０と通信可能に接続されている。中間連結装置４０は、主制御装置２０、各指紋認証装置６０ａ〜６０ｃ及び各扉開閉装置７０ａ〜７０ｃと通信可能に接続されている。
【００１６】
指紋登録装置３０は、主制御装置２０と通信可能に接続されており、当該指紋登録装置の所定の位置に設けられている指紋検出部３１で読み取った指紋データを主制御装置２０に対して送信する。
【００１７】
指紋認証装置６０ａ〜６０ｃは、それぞれ各遊技機５０ａ〜５０ｃに対応して設けられており、中間連結装置４０を介して主制御装置２０と通信可能に接続されている。また、各指紋認証装置６０ａ〜６０ｃには、当該各指紋認証装置の所定の位置に、それぞれに対応する遊技機の操作者の指紋を指紋データとして検出する各指紋検出部６２ａ〜６２ｃが設けられている。
【００１８】
扉開閉装置７０ａ〜７０ｃは、指紋認証装置６０ａ〜６０ｃと同様に、それぞれ各遊技機５０ａ〜５０ｃに対応して設けられており、中間連結装置４０を介して主制御装置２０と通信可能に接続されている。なお、各扉開閉装置７０ａ〜７０ｃは、主制御装置２０からの制御信号に基づいて、各遊技機５０ａ〜５０ｃの本体と扉との間に構成されているワイヤーをロックして扉を本体に閉鎖したり、当該ワイヤーのロックを解除して扉を本体から開放したりする。
【００１９】
図２は、本発明の実施形態に係る遊技機管理システムのブロック構成図である。この図２において、図１に示した構成と同様のものについては、同様の符号を付している。
【００２０】
管理用ＰＣ１０は、前述した操作入力部１１及びモニター表示部１２と、各遊技機５０ａ〜５０ｃにおける扉の開閉に係る履歴情報を記憶する履歴情報記憶部１３と、操作入力部１１からの指示信号に基づき、当該指示内容に応じた情報をモニター表示部１２に表示する制御を行う表示制御部１４とを有して構成されている。
【００２１】
主制御装置２０は、指紋登録制御部２１と、扉開閉制御部２２とを有して構成されている。指紋登録制御部２１は、操作入力部１１からの指紋登録指示信号に基づき、指紋登録装置３０から入力された指紋データを、登録する管理者に係る管理者情報と関連付けて、中間連結装置４０を介して各指紋認証装置６０ａ〜６０ｃの各登録指紋記憶部６１ａ〜６１ｃに記憶し、遊技機５０ａ〜５０ｃの管理者の指紋データとして登録する。扉開閉制御部２２は、後述する指紋認証部６３ａ〜６３ｃによる判定結果に基づいて各扉開閉装置７０ａ〜７０ｃを制御し、各遊技機５０ａ〜５０ｃにおける扉の開閉制御を行う。
【００２２】
指紋認証装置６０ａ〜６０ｃは、それぞれ、各登録指紋記憶部６１ａ〜６１ｃと、各指紋検出部６２ａ〜６２ｃと、各指紋認証部６３ａ〜６３ｃとを有して構成されている。登録指紋記憶部６１ａ〜６１ｃは、遊技機５０ａ〜５０ｃの管理者として登録された者の指紋データを、当該管理者に係る管理者情報と関連付けて記憶する。指紋検出部６２ａ〜６２ｃは、それぞれ各指紋認証装置６０ａ〜６０ｃの所定の位置に設けられており、各遊技機５０ａ〜５０ｃに対して操作者が扉の開放等の操作を行う際に、当該所定の位置に載置された操作者の指紋を指紋データとして検出する。指紋認証部６３ａ〜６３ｃは、各指紋検出部６２ａ〜６２ｃで検出された指紋データと、各登録指紋記憶部６１ａ〜６１ｃに記憶されている指紋データとを照合し、合致する指紋データが存在するか否かを判定する。そして、指紋認証部６３ａ〜６３ｃは、当該判定結果を示す情報を、中間連結装置４０を介して扉開閉制御部２２に送信する。
【００２３】
扉開閉装置７０ａ〜７０ｃは、扉開閉制御部２２からの制御信号に基づいて、各遊技機５０ａ〜５０ｃの本体と扉との間に構成されているワイヤーをロックして扉を本体に閉鎖したり、当該ワイヤーのロックを解除して扉を本体から開放したりする。また、扉開閉装置７０ａ〜７０ｃは、対応する各遊技機５０ａ〜５０ｃの現在の扉の開閉状態を検知し、検知した扉の開閉状態を示す情報を扉開閉制御部２２に送信する。
【００２４】
次に、本発明の実施形態に係る遊技機管理システムの遊技機管理方法について説明する。
【００２５】
図３は、本発明の実施形態に係る遊技機管理システムの遊技機における扉の開閉処理を示したフローチャートである。
【００２６】
まず、ステップＳ１では、操作入力部１１から指紋登録指示信号が出力されると、指紋登録制御部２１がこれを検知し、指紋登録制御部２１は、指紋登録装置３０から入力された指紋データを、登録する管理者に係る管理者情報と関連付けて、各登録指紋記憶部６１ａ〜６１ｃに記憶し、遊技機５０ａ〜５０ｃの管理者の指紋データとして予め登録する。ここで、登録する管理者に係る管理者情報は、操作入力部１１からの入力情報に基づいて設定されるものであり、例えば、当該管理者の氏名等の情報である。
【００２７】
続いて、ステップＳ２では、各指紋検出部６２ａ〜６２ｃのうち、少なくともいずれか１つの指紋検出部において、各遊技機５０ａ〜５０ｃに対する操作者の指紋データを検出したか否かを判断する。この判断の結果、いずれの指紋検出部６２ａ〜６２ｃにおいても操作者の指紋データを検出していない場合には、少なくともいずれか１つの指紋検出部で操作者の指紋データを検出するまで、ステップＳ２で待機する。一方、ステップＳ２での判断の結果、少なくともいずれか１つの指紋検出部で操作者の指紋データを検出した場合には、ステップＳ３に進む。ここで、本実施形態においては、説明の都合上、ステップＳ２において、指紋検出部６２ａで操作者の指紋データを検出したものとする。
【００２８】
続いて、ステップＳ３では、指紋認証部６３ａは、ステップＳ２において指紋検出部６２ａで検出した遊技機５０ａに対する操作者の指紋データと、ステップＳ１において登録指紋記憶部６１ａに予め登録されている遊技機５０ａ〜５０ｃの管理者の指紋データとを照合する。
【００２９】
続いて、ステップＳ４では、指紋認証部６３ａは、ステップＳ３による指紋データの照合の結果、指紋データが合致したか否かを判断する。この判断の結果、指紋データが合致した場合には、指紋認証部６３ａは、中間連結装置４０を介して扉開閉制御部２２に対し、当該操作者が当該遊技機の管理者として認証されたことを示す情報とともに、当該操作者（管理者）に係る操作者情報を送信する。一方、ステップＳ４での判断の結果、指紋データが合致しなかった場合には、指紋認証部６３ａは、中間連結装置４０を介して扉開閉制御部２２に対し、当該操作者が当該遊技機の管理者として認証されなかったことを示す情報を送信する。
【００３０】
ステップＳ４で指紋データが合致したと判断された場合、続いて、ステップＳ５では、扉開閉制御部２２は、指紋認証部６３ａから送信された、遊技機５０ａに対する操作者が管理者として認証されたことを示す情報に基づき、扉開閉装置７０ａに対して、遊技機５０ａの本体と扉との間に構成されているワイヤーのロックを解除して、遊技機５０ａの扉を本体から開放するように制御する。
【００３１】
続いて、ステップＳ６では、扉開閉制御部２２は、遊技機５０ａの扉の開放を行う制御を行った際に、その日時情報、遊技機５０ａの識別情報（例えば、識別番号等）、及び指紋認証部６３ａから送信された遊技機５０ａの操作者に係る操作者情報を扉の開放に関する履歴情報として履歴情報記憶部１３に記憶する。
【００３２】
一方、ステップＳ４で指紋データが合致しなかったと判断された場合、続いて、ステップＳ７では、扉開閉制御部２２は、指紋認証部６３ａから送信された、遊技機５０ａに対する操作者が管理者として認証されなかったことを示す情報に基づき、扉開閉装置７０ａに対して、遊技機５０ａの本体と扉との間に構成されているワイヤーをロックのままにして、遊技機５０ａの扉を本体に閉鎖させた状態を維持するように制御する。
【００３３】
ステップＳ６の処理、或いは、ステップＳ７の処理が終了した後、本実施形態に係る遊技機管理システムの遊技機における扉の開閉処理が終了する。
【００３４】
図４は、本発明の実施形態に係る遊技機管理システムの遊技機における扉の開閉履歴の表示処理を示したフローチャートである。ここで、履歴情報記憶部１３には、前述したように、各遊技機５０ａ〜５０ｃの扉の開放を行う制御を行った際の日時情報、当該遊技機の識別情報（例えば、識別番号等）、及び当該遊技機の操作者に係る操作者情報が扉の開放に関する履歴情報として記憶されているとともに、扉開閉装置７０ａ〜７０ｃで検知された各遊技機５０ａ〜５０ｃの現在の扉の開閉状態を示す情報が記憶されている。
【００３５】
まず、ステップＳ２１では、表示制御部１４は、操作入力部１１から扉の開閉履歴表示指示信号が出力されたか否かを判断する。この判断の結果、操作入力部１１から扉の開閉履歴表示指示信号が出力されていない場合には、操作入力部１１から扉の開閉履歴表示指示信号が出力されるまで、ステップＳ２１で待機する。一方、ステップＳ２１での判断の結果、操作入力部１１から扉の開閉履歴表示指示信号が出力された場合には、ステップＳ２２に進む。
【００３６】
ステップＳ２２では、表示制御部１４は、履歴情報記憶部１３から、操作入力部１１から出力された扉の開閉履歴表示指示信号の指示内容に応じた履歴情報等の情報を抽出する。
【００３７】
続いて、ステップＳ２３では、表示制御部１４は、ステップＳ２２で抽出した情報をモニター表示部１２に表示する。
【００３８】
ステップＳ２１〜ステップＳ２３までの処理を経ることにより、モニター表示部１２には、例えば、各遊技機５０ａ〜５０ｃにおける過去の扉の開閉履歴情報や、現在の扉の開閉状態を示す情報が表示される。具体的に、過去の扉の開閉履歴情報としては、当該遊技機の扉の開放を行った日時情報及び扉の閉鎖を行った日時情報、並びに、当該遊技機の扉の開放を行った操作者情報等である。
【００３９】
以上、説明したように、本実施形態に係る遊技機管理システムでは、遊技機の管理者として登録された者の指紋データを各登録指紋記憶部６１ａ〜６１ｃに記憶し（ステップＳ１）、各指紋検出部６２ａ〜６２ｃにおいて、各遊技機５０ａ〜５０ｃに対する操作者の指紋を指紋データとして検出し（ステップＳ２）、各指紋認証部６３ａ〜６３ｃにおいて、各指紋検出部６２ａ〜６２ｃで検出された指紋データと、各登録指紋記憶部６１ａ〜６１ｃに記憶されている指紋データとを照合して（ステップＳ３）、合致する指紋データが存在するか否かを判定し（ステップＳ４）、各指紋認証部６３ａ〜６３ｃにより合致する指紋データが存在すると判定された場合（ステップＳ４／ＹＥＳ）、扉開閉制御部２２において、該当する遊技機の扉を開放する制御を行うようにしている（ステップＳ５）。
【００４０】
本実施形態によれば、遊技機の操作者に対して指紋認証を行って、遊技機の管理者として登録された者であると判定された場合に限り、当該操作者に対して、遊技機の扉の開放を行うようにしたので、遊技機の扉の開放を行う際のセキュリティの向上を実現することが可能となる。
【００４１】
また、本実施形態に係る遊技機管理システムでは、扉開閉制御部２２により遊技機の扉の開放を行う制御がなされた際に、少なくとも、その日時情報、当該遊技機の識別情報、及び当該操作者に係る操作者情報を履歴情報として履歴情報記憶部１３に記憶するようにしている(ステップＳ６)。
【００４２】
本実施形態によれば、遊技機の扉の開放に関する履歴情報を記憶するようにしたので、例えば、遊技機の操作者（管理者）が、遊技機内に備え付けてある制御基板を不正に取り替えた場合においても、遊技機の遊技状態の変化等を契機として、その操作者を特定することができ、管理者による不正行為の防止を図ることも可能となる。
【００４３】
また、本実施形態に係る遊技機管理システムでは、遊技機の扉の開閉履歴における表示を指示する操作入力部１１を具備しており、操作入力部１１により扉の開閉履歴の表示が指示された場合（ステップＳ２１／ＹＥＳ）、表示制御部１４において、履歴情報記憶部１３から、当該指示内容に応じた履歴情報を抽出し（ステップＳ２２）、当該抽出した履歴情報をモニター表示部１２に表示するようにしている（ステップＳ２３）。
【００４４】
本実施形態によれば、遊技機の扉の開閉履歴を表示するようにしたので、遊技機の管理及び遊技機の操作者（管理者）の管理を視覚的に行うことができる。
【００４５】
また、本実施形態に係る遊技機管理システムでは、扉開閉制御部２２は、指紋認証部６３ａ〜６３ｃにより合致する指紋データが存在しないと判定された場合、遊技機の扉を閉鎖した状態で維持する制御を行うようにしている（ステップＳ７）。
【００４６】
本実施形態によれば、遊技機に対する操作者が、遊技機の管理者として登録された者でないと判定された場合に、当該遊技機の扉を閉鎖した状態で維持するようにしたので、遊技機におけるセキュリティの向上を実現することが可能となる。
【００４７】
なお、本実施形態では、管理用ＰＣ１０、主制御装置２０及び中間連結装置３０を別体の装置構成で構成しているが、１つの装置構成で構成した形態も適用可能である。また、本実施形態では、中間連結装置３０を介して、主制御装置２０側と、指紋認証装置６０ａ〜６０ｃ及び扉開閉装置７０ａ〜７０側とを接続するようにした形態であるが、中間連結装置３０を設けずに、主制御装置２０側と、指紋認証装置６０ａ〜６０ｃ及び扉開閉装置７０ａ〜７０側とを直接接続するようにした形態も適用可能である。
【００４８】
前述した本発明の実施形態に係る遊技機管理システムを構成する図２の各手段、並びに遊技機管理システムにおける遊技機管理方法を示した図３及び図４の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００４９】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５０】
また、コンピュータが供給されたプログラムを実行することにより本実施形態に係る遊技機管理システムの機能が実現されるだけでなく、そのプログラムがコンピュータにおいて稼働しているＯＳ（オペレーティングシステム）或いは他のアプリケーションソフト等と共同して本実施形態に係る遊技機管理システムの機能が実現される場合や、供給されたプログラムの処理の全て、或いは一部がコンピュータの機能拡張ボードや機能拡張ユニットにより行われて本実施形態に係る遊技機管理システムの機能が実現される場合も、かかるプログラムは本発明に含まれる。
【図面の簡単な説明】
【００５１】
【図１】本発明の実施形態に係る遊技機管理システムのシステム構成図である。
【図２】本発明の実施形態に係る遊技機管理システムのブロック構成図である。
【図３】本発明の実施形態に係る遊技機管理システムの遊技機における扉の開閉処理を示したフローチャートである。
【図４】本発明の実施形態に係る遊技機管理システムの遊技機における扉の開閉履歴の表示処理を示したフローチャートである。
【符号の説明】
【００５２】
１０  管理用パーソナルコンピュータ（管理用ＰＣ）
１１  操作入力部
１２  モニター表示部
１３  履歴情報記憶部
１４  表示制御部
２０  主制御装置
２１  指紋登録制御部
２２  扉開閉制御部
３０  指紋登録装置
３１  指紋検出部
４０  中間連結装置
５０ａ〜５０ｃ  遊技機
６０ａ〜６０ｃ  指紋認証装置
６１ａ〜６１ｃ  登録指紋記憶部
６２ａ〜６２ｃ  指紋検出部
６３ａ〜６３ｃ  指紋認証部
７０ａ〜７０  扉開閉装置
【図１】
2007068727.tif 000003
【図２】
2007068727.tif 000004
【図３】
2007068727.tif 000005
【図４】
2007068727.tif 000006